(57)【特許請求の範囲】
【請求項１】
バンド本体をバンド嵌合部に挿通し、前記バンド本体に連続形成した係止歯に、前記バンド嵌合部に設けたロックアームを二重係止させる結束バンドの二重係止構造において、
前記ロックアームには前記バンド嵌合部に挿通された前記バンド本体の一の係止歯に係止する単一の係止爪を設けるとともに、該ロックアームは、前記バンド嵌合部に挿通された前記バンド本体に該バンド本体の挿通方向と反対方向の力が作用した際に、該ロックアームが前記バンド本体側に揺動して、後端部が前記バンド本体の他の係止歯に係止するように揺動可能に配置されており、前記ロックアームの係止爪から後端部までの長さが、前記バンド本体の一の係止歯から他の係止歯までの間隔とほぼ同じ寸法に設定されるとともに、前記バンド本体に引張り応力が作用していない状態で、前記一の係止歯に対する係止爪のストロークと、他の係止歯に対する前記後端部のストロークとが確保されていることを特徴とする結束バンドの二重係止構造。
【発明の詳細な説明】
【０００１】
【発明の属する技術分野】
本発明は、バンド本体のバンドクランプ（バンド嵌合部）への挿通抵抗を低減させることができるとともに、引張り応力に抗してバンド本体を強固に係止することができ、同時に、ロックアームの係止爪の破損防止と、金型の簡単化及びローコスト化とを図ることができる結束バンドの二重係止構造に関する。
【０００２】
【従来の技術】
二重係止構造を具備した従来の結束バンドとして、例えば、実開昭５０−２４５８７号で提案されているものがある。
以下、この従来の結束バンドについて、図３及び図４を参照しつつ説明する。
【０００３】
図３は従来の結束バンドを示すものであり、同図（ａ）は平面図，同図（ｂ）は部分断面側面図である。
図４は上記従来の結束バンドの二重係止構造を示す断面図である。
【０００４】
図３（ａ），（ｂ）において、従来の結束バンドは合成樹脂からなり、帯状のバンド本体１１０の一端に、該バンド本体１１０の挿通が可能なバンドクランプ１２０を一体成形した構成となっている。
【０００５】
バンド本体１１０の表面には、複数の係止歯１１１が鋸歯状に連続的に形成してある。
バンドクランプ１２０は、バンド本体１１０の挿通孔１２０ａを有し、該挿通孔１２０ａ内には、バンド本体１１０を係止するためのロックアーム１２１が設けてある。
【０００６】
図４に示すように、ロックアーム１２１は、可撓性支持部１２２によって弾力的に支持されており、バンド本体１１０の係止歯１１１に二重係止する第一及び第二係止爪１２３，１２４が突設してある。
【０００７】
また、ロックアーム１２１の後端には、バンド本体１１０をバンドクランプ１２０に挿通したとき、内壁１２０ｂに当接して、ロックアーム１２１をバンド本体１１０側に付勢する反力体１２５が設けてある。
【０００８】
図４に示す従来の結束バンドの二重係止構造では、バンドクランプ１２０の挿通孔１２０ａに、バンド本体１１０を図中矢印Ｏ方向に挿通すると、該バンド本体１１０の二つの係止歯１１１，１１１に、ロックアーム１２１の第一及び第二係止爪１２３，１２４が二重係止する。
【０００９】
これと同時に、ロックアーム１２１の反力体１２５が内壁１２０ｂに当接して、該ロックアーム１２１をバンド本体１１０側に付勢し、係止歯１１１，１１１と第一及び第二係止爪１２３，１２４の二重係止を強固にする。
【００１０】
これにより、バンドクランプ１２０に挿通されたバンド本体１１０の図中矢印Ｐ方向（バンド本体１１０の反挿入方向）の移動が制限され、バンド本体１１０は、図中矢印Ｏ方向（バンド本体１１０の挿入方向）のみ移動可能となる。
【００１１】
【発明が解決しようとする課題】
ところが、図４に示す従来の結束バンドの二重係止構造では、バンド本体１１０をバンドクランプ１２０に挿通したと同時に、反力体１２５がロックアーム１２１をバンド本体１１０側に付勢するので、これ以後、バンド本体１１０のバンドクランプ１２０への挿通抵抗が増大する。
【００１２】
かかる挿通抵抗に抗して、さらにバンド本体１１０をバンドクランプ１２０に挿通すれば、バンド本体１１０の係止歯１１１…、又は、バンドクランプ１２０の第一及び第二係止爪１２３，１２４がへたり、あるいは、変形してしまうという問題があった。
【００１３】
このような係止歯１１１…又は第一及び第二係止爪１２３，１２４のへたり、変形が、結局、バンド本体１１０とバンドクランプ１２０の結合力の低下をまねき、バンド本体１１０に引張り応力（バンドクランプ１２０に挿通されたバンド本体１１０に加わる、該バンド本体１１０の挿通方向Ｏと反対方向Ｐの力）が作用したとき、バンド本体１１０とバンドクランプ１２０の係止が不意に解除されてしまうという問題を生じた。
【００１４】
また、バンド本体１１０のバンドクランプ１２０への挿通抵抗の低減を図るために、ロックアーム１２１の第一又は第二係止爪１２３，１２４の一方を削除し、あるいは、ロックアーム１２１の反力体１２５を削除することも考えられる。しかし、このような構成とした場合、バンド本体１１０とバンドクランプ１２０の結合力を積極的に低下させることとなり、引張り応力によるバンド本体１１０とバンドクランプ１２０の不意の係止解除をまねいてしまう。
【００１５】
このように、バンド本体１１０のバンドクランプ１２０への挿入抵抗は、両者の結合力に比例するものであり、バンド本体１１０の挿入抵抗の低減を図ろうとすれば、両者の結合力も低減してしまい、バンド本体１１０の挿入抵抗のみを低減させつつ、引張り応力に抗するバンド本体１１０とバンドクランプ１２０の結合力をもたせることが困難であった。
【００１６】
さらに、ロックアーム１２１に二つの係止爪１２３，１２４を設けた構成となっているので、金型成形上、これら係止爪１２３，１２４のいずれかがアンダカットとなり、スライド型の使用を余儀なくされるため、金型の複雑化及びハイコスト化をまねくという問題もあった。
【００１７】
本発明は、上記問題点に鑑みてなされたものであり、バンド本体のバンドクランプへの挿通抵抗を低減させることができるとともに、引張り応力に抗してバンド本体を強固に係止することができ、同時に、ロックアームの係止爪の破損防止と、金型の簡単化及びローコスト化とを図ることができる結束バンドの二重係止構造の提供を目的とする。
【００１８】
【課題を解決するための手段】
上記目的を達成するために、本発明の結束バンドの二重係止構造は、バンド本体をバンド嵌合部に挿通し、前記バンド本体に連続形成した係止歯に、前記バンド嵌合部に設けたロックアームを二重係止させる結束バンドの二重係止構造において、前記ロックアームには前記バンド嵌合部に挿通された前記バンド本体の一の係止歯に係止する単一の係止爪を設けるとともに、該ロックアームは、前記バンド嵌合部に挿通された前記バンド本体に該バンド本体の挿通方向と反対方向の力が作用した際に、該ロックアームが前記バンド本体側に揺動して、後端部が前記バンド本体の他の係止歯に係止するように揺動可能に配置されており、前記ロックアームの係止爪から後端部までの長さが、前記バンド本体の一の係止歯から他の係止歯までの間隔とほぼ同じ寸法に設定されるとともに、前記バンド本体に引張り応力が作用していない状態で、前記一の係止歯に対する係止爪のストロークと、他の係止歯に対する前記後端部のストロークとが確保されていることを特徴とする。
【００１９】
上記構成によれば、バンド本体をバンド嵌合部に挿通すると、バンド嵌合部の単一の係止爪が、バンド本体の一の係止歯に係止（単一係止）する構成としてあるので、バンド本体の挿入抵抗を低減することができる。
この結果、過大な挿入抵抗による係止歯と係止爪のへたり、変形を防止することができる。
【００２０】
また、バンド嵌合部に挿通されたバンド本体に、該バンド本体の挿通方向と反対方向の力（引張り応力）が作用したときは、ロックアームがバンド本体側に揺動し、該ロックアームの後端部が、バンド本体の他の係止歯に係止する。すなわち、バンド本体が、ロックアームの係止爪と後端部によって二重係止される。
これにより、バンド本体の引張り応力に抗して、該バンド本体を強固に係止することができる。
【００２１】
これに加え、本発明の結束バンドの二重係止構造によれば、ロックアームの係止爪を単一とすることができるので、金型成形上のアンダカットがなくなり、スライド型を用いずに結束バンドを金型成形することができる。
これにより、結束バンドを製造するための金型の簡単化及びローコスト化を図ることができる。
【００２２】
【発明の実施の形態】
以下、本発明の結束バンドの二重係止構造の実施形態について、図面を参照しつつ説明する。
【００２３】
図１は本発明の一実施形態に係る結束バンドの二重係止構造を示すものであり、同図（ａ）はバンドクランプの断面図，同図（ｂ）はバンド本体の断面図である。また、図２（ａ），（ｂ）は、上記結束バンドの二重係止構造の係止動作を示す断面図である。
【００２４】
図１（ａ），（ｂ）において、本実施形態の前提として、結束バンドは、これら図面に示すバンドクランプ（バンド嵌合部）２０とバンド本体１０を合成樹脂により一体成形した構成となっており、構造上の特徴は、専らバンドクランプ２０の構成にある。
【００２５】
図１（ａ）に示すように、バンドクランプ２０の挿通孔２０ａ内には、バンド本体１０を係止するためのロックアーム２１が設けてある。
ロックアーム２１は、可撓性支持部２２によって内壁２０ｂに弾力的に支持されており、該可撓性支持部２２により揺動可能となっている。
【００２６】
ロックアーム２１には、単一の係止爪２３が突設してある。
該係止爪２３は、図１（ｂ）に示すバンド本体１０が、バンドクランプ２０の挿通孔２０ａに挿通されたとき、図２（ａ）に示すように、該バンド本体１０の表面に連続形成された複数の係止歯１１，１１…のいずれか一の係止歯１１Ａに係止する。
【００２７】
ここで、ロックアーム２１の後端部２１ａは、図２（ｂ）に示すように、バンドクランプ２０に挿通されたバンド本体１０に、引張り応力（図中矢印Ｐ方向の力）が作用したとき、ロックアーム２１の揺動によって、バンド本体１０の他の係止歯１１Ｂに係止するようになっている。
【００２８】
ロックアーム２１の後端部２１ａを、バンド本体１０の他の係止歯１１Ｂに係止させるため、図１（ａ），（ｂ）に示すように、ロックアーム２１の係止爪２３から後端部２１ａまでの長さＬ１を、バンド本体１０の一の係止歯１１Ａから他の係止歯１１Ｂまでの間隔Ｌ２とほぼ同じ寸法にしてある。
【００２９】
また、バンド本体１０に引張り応力が作用したときのみ、ロックアーム２１の後端部２１ａに係止動作をさせるため、図２（ａ）に示すように、バンド本体１０に引張り応力が作用していない状態で、一の係止歯１１Ａに対する係止爪２３のストロークＬ３と、他の係止歯１１Ｂに対する後端部２１ａのストロークＬ４とを確保してある。
【００３０】
このような構成からなる本実施形態の結束バンドの二重係止構造によれば、図２（ａ）に示すように、バンド本体１０をバンドクランプ２０に挿通すると、バンドクランプ２０の単一の係止爪２３が、バンド本体１０の一の係止歯１１Ａに係止（単一係止）する構成としてあるので、バンド本体１０の挿入抵抗を低減することができる。
この結果、過大な挿入抵抗による係止歯１１，１１…と係止爪２３のへたり、変形を防止することができる。
【００３１】
また、図２（ｂ）に示すように、バンドクランプ２０に挿通されたバンド本体１０に、該バンド本体１０の挿通方向Ｏ（図２（ａ）参照）と反対方向Ｐの力（引張り応力）が作用したときは、ロックアーム２１がバンド本体１０側に揺動し、該ロックアーム２１の後端部２１ａが、バンド本体１０の他の係止歯１１Ｂに係止する。すなわち、バンド本体１０が、ロックアーム２１の係止爪２３と後端部２１ａによって二重係止される。
これにより、バンド本体１０の引張り応力に抗して、該バンド本体１０を強固に係止することができる。
【００３２】
これに加え、本実施形態の結束バンドの二重係止構造によれば、ロックアーム２１の係止爪２３を単一とすることができるので、金型成形上のアンダカットがなくなり、スライド型を用いずに結束バンドを金型成形することができる。
これにより、結束バンドを製造するための金型の簡単化及びローコスト化を図ることができる。
【００３３】
【発明の効果】
本発明によれば、バンド本体をバンド嵌合部に挿通すると、バンド嵌合部の単一の係止爪が、バンド本体の一の係止歯に係止（単一係止）する構成としてあるので、バンド本体の挿入抵抗を低減することができる。
この結果、過大な挿入抵抗による係止歯と係止爪のへたり、変形を防止することができる。
また、バンド嵌合部に挿通されたバンド本体に、該バンド本体の挿通方向と反対方向の力（引張り応力）が作用したときは、ロックアームがバンド本体側に揺動し、該ロックアームの後端部が、バンド本体の他の係止歯に係止する。すなわち、バンド本体が、ロックアームの係止爪と後端部によって二重係止される。
これにより、バンド本体の引張り応力に抗して、該バンド本体を強固に係止することができる。
これに加え、ロックアームの係止爪を単一とすることができるので、金型成形上のアンダカットがなくなり、スライド型を用いずに結束バンドを金型成形することができる。
これにより、結束バンドを製造するための金型の簡単化及びローコスト化を図ることができる。
以上のように、本発明の結束バンドの二重係止構造によれば、バンド本体のバンド嵌合部への挿通抵抗を低減させることができるとともに、引張り応力に抗してバンド本体を強固に係止することができ、同時に、ロックアームの係止爪の破損防止と、金型の簡単化及びローコスト化とを図ることができる。
【図面の簡単な説明】
【図１】本発明の一実施形態に係る結束バンドの二重係止構造を示すものであり、同図（ａ）はバンドクランプの断面図，同図（ｂ）はバンド本体の断面図である。
【図２】同図（ａ），（ｂ）は、上記結束バンドの二重係止構造の係止動作を示す断面図である。
【図３】従来の結束バンドを示すものであり、同図（ａ）は平面図，同図（ｂ）は部分断面側面図である。
【図４】上記従来の結束バンドの二重係止構造を示す断面図である。
【符号の説明】
１０    バンド本体
１１    係止歯
１１Ａ  一の係止歯
１１Ｂ  他の係止歯
２０    バンドクランプ（バンド嵌合部）
２０ａ  挿通孔
２０ｂ  内壁
２１    ロックアーム
２１ａ  後端部
２２    可撓性支持部
２３    係止爪
【図１】
0003936511.tif 000002
【図２】
0003936511.tif 000003
【図３】
0003936511.tif 000004
【図４】
0003936511.tif 000005